(57)【要約】【課題】球検出手段のチャタリング発生を防止する。【解決手段】裏ユニット３８に、板部材に設けた左側の上下普通入賞口に連通する左球通路８０が形成される。左球通路８０は、上側の普通入賞口に連通する第１傾斜通路８２の下流端に、上下方向に延在する第１縦通路８４が接続される。第１縦通路８４を通過するパチンコ球を検出する第１普通入賞センサ８８が配設される第１縦通路８４の下端に、第２傾斜通路８３が接続される。第１縦通路８４と第２傾斜通路８３とがなす屈曲部９０の下隅部に、第２傾斜通路８３に向けて下方傾斜する傾斜面９１が形成される。傾斜面９１は、第１縦通路８４から落下するパチンコ球の落下中心線より第２傾斜通路８３と反対側の外周下側が接触するよう設定されて、該傾斜面９１に当ったパチンコ球は第２傾斜通路８３に向かうように移動方向が確実に変更される。【選択図】図１２
2010252927.tif 000002
【特許請求の範囲】
【請求項１】
前側に遊技領域が画成される板部材と、該板部材の裏側に取付けられる裏ユニットからなる遊技盤を有し、前記板部材には遊技領域を流下する遊技球が入賞可能な普通入賞口が設けられると共に、普通入賞口に入賞した遊技球を案内する球通路が前記裏ユニットに形成されている遊技機において、
前記球通路は、普通入賞口に連通して上下方向に延在する縦通路と、該縦通路の下端に連通して左側または右側に向けて下方傾斜する傾斜通路とを備え、
前記縦通路に遊技球を検出する球検出手段が配設され、
前記縦通路と傾斜通路とがなす屈曲部の下隅部に、該縦通路から落下する遊技球の中心を通る落下中心線より傾斜通路と反対側の外周下側が接触する部位に位置して、該遊技球を傾斜通路に向けて案内する案内部が設けられる
ことを特徴とする遊技機。
【請求項２】
前記案内部に接触したときの遊技球の案内部との接点と該遊技球の中心とを通る跳出線が、前記縦通路と傾斜通路とがなす屈曲部の上角部より傾斜通路側を通るように前記案内部が設けられる請求項１記載の遊技機。
【請求項３】
前記案内部は、前記傾斜通路の傾斜角度より大きな角度で傾斜通路に向けて直線状に下方傾斜する傾斜面で構成される請求項１または２記載の遊技機。
【請求項４】
前記傾斜面は、前記縦通路における球検出手段の配設領域より傾斜通路側へ延出すると共に、該傾斜面の延出端部と縦通路の下端との離間距離は、遊技球の直径より大きく設定される請求項３記載の遊技機。
【請求項５】
前記案内部は突部で構成される請求項１または２記載の遊技機。
【請求項６】
前記板部材に、上下および左右に離間して２つの普通入賞口が設けられると共に、上側の普通入賞口の下側には発光用装飾部品が配設され、前記裏ユニットには、該発光用装飾部品の裏側に臨む発光装置が配設され、前記球通路は、上側の普通入賞口に連通して前記発光装置の上側を前記縦通路に向けて下方傾斜して該縦通路の上端に連通接続される上傾斜通路を備えると共に、前記縦通路の下端に連通接続する前記傾斜通路の下流端が、下側の普通入賞口に連通する下縦通路に連通接続するよう構成される請求項１〜５の何れか一項に記載の遊技機。
【発明の詳細な説明】
【技術分野】
【０００１】
この発明は、板部材の遊技領域に設けられた普通入賞口に入賞した遊技球を、該板部材の裏側に配設された裏ユニットに形成した球通路を介して案内すると共に、該球通路に配設した球検出手段で遊技球の通過を検出するよう構成した遊技機に関するものである。
【背景技術】
【０００２】
代表的な遊技機であるパチンコ機は、機内にセットされる遊技盤の盤面に画成した遊技領域に装飾部材が配設され、該装飾部材に形成した開口部に、機裏側に配設した液晶式やドラム式等の図柄表示装置の表示部を臨ませると共に、該図柄表示装置による図柄変動の開始条件を付与する始動入賞装置が遊技領域に配設されている。そして、始動入賞装置に設けられた始動入賞口へのパチンコ球の入賞に基づいて、前記図柄表示装置で図柄組み合わせゲームやリーチ演出が行なわれ、表示部に所定の図柄が停止表示されたときに、大当り遊技状態を発生させて、遊技領域に配設されている特別入賞装置の特別入賞口を開放することで、遊技者に多くの賞球を獲得するチャンスを与えるようになっている。
【０００３】
前記遊技盤は、前側に遊技領域が画成されると共に始動入賞装置や特別入賞装置が配設される木製の合板や透明なアクリル板等からなる板部材の裏側に、前記始動入賞口や特別入賞口に入賞したパチンコ球を集合して機外に排出する球通路が形成された裏ユニットが配設されて構成される。また板部材には、前記始動入賞口や特別入賞口とは別に、遊技領域を流下するパチンコ球の入賞が可能な複数の普通入賞口が設けられ、各普通入賞口に入賞したパチンコ球は、前記裏ユニットに形成された前記球通路で集合されて機外に排出されるようになっている(例えば、特許文献１参照)。前記球通路には、該球通路を流下するパチンコ球、すなわち普通入賞口に入賞したパチンコ球を検出する球検出手段が配設され、該球検出手段の検出信号に基づいて所定数の賞球を払い出すよう構成されている。
【先行技術文献】
【特許文献】
【０００４】
【特許文献１】特開２００１−１４９５９７号公報
【発明の概要】
【発明が解決しようとする課題】
【０００５】
前記普通入賞口は、遊技領域を流下するパチンコ球が入賞する可能性があることを長い時間に亘って期待させるために、遊技領域の下部側に設けられるのが一般的である。また裏ユニットの下部には、前記始動入賞装置や特別入賞装置の板部材から後方に突出する部分を収容するための収容部や、その他各種の部品等が配設される場合が多く、普通入賞口に連通する球通路を簡単な形状で形成することは困難で、狭い範囲において収容部や各種部品との干渉を回避するように折曲して形成しているのが実状である。これに対し、前記球検出手段については、パチンコ球の通過を確実に検出するために、球通路における上下方向に延在する部分に配設することが望まれている。そうすると、球検出手段を配設するための上下方向に延在する縦部分を形成する前提で、狭い範囲において普通入賞口に連通する球通路を形成する場合は、必然的に縦部分を長く形成することができなかった。特に、複数の普通入賞口に入賞したパチンコ球を球通路で集合して機外に排出する場合は、更に球通路の形状が複雑となって縦部分を長く形成するのが困難であった。
【０００６】
すなわち、球通路の縦部分が短かいため、該縦部分の下端に接続してパチンコ球の流下方向を変えるための折曲部の底面と縦部分に配設される球検出手段とが近接することとなり、縦部分から落下したパチンコ球が折曲部の底面で跳ね返って球検出手段で再び検出されてしまう、所謂チャタリングを生ずる問題があった。特に、複数のパチンコ球が普通入賞口に短かい間隔で入賞した場合は、折曲部に滞留している先行のパチンコ球に後続のパチンコ球が衝突して跳ね返り、前記チャタリングが発生し易かった。
【０００７】
すなわち本発明は、従来の技術に係る遊技機に内在する前記課題に鑑み、これを好適に解決するべく提案されたものであって、球検出手段のチャタリング発生を防止し得る遊技機を提供することを目的とする。
【課題を解決するための手段】
【０００８】
前記課題を克服し、所期の目的を達成するため、本願の請求項１に係る発明は、
前側に遊技領域(37)が画成される板部材(38)と、該板部材(38)の裏側に取付けられる裏ユニット(39)からなる遊技盤(36)を有し、前記板部材(38)には遊技領域(37)を流下する遊技球(B)が入賞可能な普通入賞口(60a,60b)が設けられると共に、普通入賞口(60a,60b)に入賞した遊技球(B)を案内する球通路(80,81)が前記裏ユニット(39)に形成されている遊技機において、
前記球通路(80,81)は、普通入賞口(60a,60b)に連通して上下方向に延在する縦通路(84)と、該縦通路(84)の下端に連通して左側または右側に向けて下方傾斜する傾斜通路(83)とを備え、
前記縦通路(84)に遊技球(B)を検出する球検出手段(88)が配設され、
前記縦通路(84)と傾斜通路(83)とがなす屈曲部(90)の下隅部に、該縦通路(84)から落下する遊技球(B)の中心(O)を通る落下中心線(C)より傾斜通路(83)と反対側の外周下側が接触する部位に位置して、該遊技球(B)を傾斜通路(83)に向けて案内する案内部(91,116,117)が設けられることを特徴とする。
【０００９】
請求項１の発明によれば、球通路に形成した縦通路と傾斜通路とがなす屈曲部の下隅部に、縦通路から落下する遊技球における落下中心線より傾斜通路と反対側の外周下側が接触する位置に案内部を設けたから、該案内部で遊技球を傾斜通路に向けて確実に案内することができる。すなわち、縦通路から落下した遊技球が案内部に当たった際には、該遊技球は真上に跳ね返ることなく傾斜通路に向かうように移動方向が確実に変更されるから、遊技球の跳ね返りによる球検出手段のチャタリング発生を防止し得る。また、案内部に落下した遊技球は速やかに傾斜通路に向けて移動するから、屈曲部に遊技球が滞留することはなく、遊技球同士が当たることによる跳ね返りに起因する球検出手段のチャタリング発生も防止し得る。
【００１０】
請求項２に係る発明では、前記案内部(91,116,117)に接触したときの遊技球(B)の案内部(91,116,117)との接点(P)と該遊技球(B)の中心(O)とを通る跳出線(L)が、前記縦通路(84)と傾斜通路(83)とがなす屈曲部(90)の上角部(90a)より傾斜通路(83)側を通るように前記案内部(91,116,117)が設けられることを要旨とする。
請求項２の発明によれば、案内部で跳ね返る遊技球が縦通路に戻るのを防ぐことができ、球検出手段のチャタリング発生を確実に防止し得る。
【００１１】
請求項３に係る発明では、前記案内部は、前記傾斜通路(83)の傾斜角度より大きな角度で傾斜通路(83)に向けて直線状に下方傾斜する傾斜面(91,116)で構成されることを要旨とする。
請求項３の発明によれば、案内部を傾斜面とすることで遊技球をスムーズに傾斜通路に向けて案内することができる。
【００１２】
請求項４に係る発明では、前記傾斜面(116)は、前記縦通路(84)における球検出手段(88)の配設領域より傾斜通路(83)側へ延出すると共に、該傾斜面(116)の延出端部と縦通路(84)の下端との離間距離は、遊技球(B)の直径より大きく設定されることを要旨とする。
請求項４の発明によれば、傾斜面を縦通路における球検出手段の配設領域を越えて傾斜通路側へ延出することで、該傾斜面に接触した遊技球を傾斜通路に確実に誘導することができる。また、傾斜面の延出端部と縦通路の下端との離間距離を遊技球の直径より大きく設定してあるから、該傾斜面で誘導される遊技球の傾斜通路への流入は円滑に行なわれる。
【００１３】
請求項５に係る発明では、前記案内部は突部(117)で構成されることを要旨とする。
請求項５の発明によれば、簡単な構成で球検出手段のチャタリング発生を防止することができる。
【００１４】
請求項６に係る発明では、前記板部材(38)に、上下および左右に離間して２つの普通入賞口(60a,60b)が設けられると共に、上側の普通入賞口(60a)の下側には発光用装飾部品(63,65)が配設され、前記裏ユニット(39)には、該発光用装飾部品(63,65)の裏側に臨む発光装置(74,76)が配設され、前記球通路(80,81)は、上側の普通入賞口(60a)に連通して前記発光装置(74,76)の上側を前記縦通路(84)に向けて下方傾斜して該縦通路(84)の上端に連通接続される上傾斜通路(82)を備えると共に、前記縦通路(84)の下端に連通接続する前記傾斜通路(83)の下流端が、下側の普通入賞口(60b)に連通する下縦通路(85)に連通接続するよう構成されることを要旨とする。
請求項６の発明によれば、遊技者が注目する普通入賞口を発光により装飾して遊技の興趣を高めるように該普通入賞口の下側に設けた発光用装飾部品を発光装飾するための発光装置を裏ユニットに配設することで、該普通入賞口に入賞した遊技球を案内するための球通路の形状が制限されて狭い範囲において複数回に亘って球通路を折曲する必要がある場合であっても、球検出手段のチャタリング発生を抑制し得る。
【発明の効果】
【００１５】
本発明に係る遊技機によれば、球検出手段のチャタリング発生を防止し得る。
【図面の簡単な説明】
【００１６】
【図１】本発明の好適な実施例に係るパチンコ機を示す正面図である。
【図２】実施例に係るパチンコ機の背面図である。
【図３】実施例に係るパチンコ機を中枠および遊技盤を取外した状態で示す正面図である。
【図４】実施例に係る遊技盤を示す正面図である。
【図５】実施例に係る遊技盤を図柄表示装置を配設した状態で示す背面図である。
【図６】実施例に係る遊技盤を板部材と裏ユニットを分解して示す側面図である。
【図７】実施例に係る遊技盤の下側部分を示す要部正面図である。
【図８】実施例に係る裏ユニットを各可動演出装置を配設した状態で示す正面図である。
【図９】実施例に係る裏ユニットを各可動演出装置を取外した状態で示す正面図である。
【図１０】実施例に係る裏ユニットにおける下側部分を可動演出装置を取付けた状態で示す要部正面図である。
【図１１】実施例に係る裏ユニットにおける下側部分を可動演出装置を取付けた状態で示す要部斜視図である。
【図１２】実施例に係る裏ユニットにおける下部左側部分を示す要部正面図である。
【図１３】実施例に係る裏ユニットにおける下部右側部分を示す要部正面図である。
【図１４】図１０のＡ−Ａ線断面図である。
【図１５】図１０のＢ−Ｂ線断面図である。
【図１６】図１０のＣ−Ｃ線断面図である。
【図１７】実施例に係る裏ユニットの左球通路を示す要部正面図である。
【図１８】実施例に係る傾斜面と、該傾斜面に向けて落下したパチンコ球との関係を示す説明図である。
【図１９】実施例に係る磁気センサを示す説明図である。
【図２０】実施例に係る磁気センサを収容したセンサケースを示す図であって、(ａ)は正面図、(ｂ)は背面図、(ｃ)は底面図、(ｄ)は右側面図である。
【図２１】実施例に係るパチンコ機の主要な制御ブロック図である。
【図２２】案内部の第１の別実施例を示す裏ユニットの要部正面図である。
【図２３】案内部の第２の別実施例を示す裏ユニットの要部正面図である。
【発明を実施するための形態】
【００１７】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１８】
(パチンコ機について)
実施例に係るパチンコ機１０は、図１に示すように、矩形枠状に形成されて遊技店の図示しない設置枠台に固定される固定枠としての外枠１１の開口前面側に、後述する遊技盤３６(図４参照)を着脱可能に保持された本体枠としての中枠１２が開閉および着脱可能に組付けられて、該遊技盤３６の裏側に対して、各種図柄を変動表示可能な図柄表示装置１３が着脱し得るよう配設されている。また、前記中枠１２の前面側には、前記遊技盤３６を透視保護するガラス板１４ａ(図１４,図１５参照)を備えた装飾枠としての前枠１４が開閉可能に組付けられると共に、該前枠１４の下方にパチンコ球(遊技球)Ｂを貯留する下球受け皿１５が開閉可能に組付けられる。なお、実施例では、前記前枠１４の下部位置に、パチンコ球を貯留する上球受け皿１６が一体的に組付けられており、前枠１４の開閉に合わせて上球受け皿１６も一体的に開閉するよう構成される。
【００１９】
(中枠について)
図３に示すように、前記中枠１２は、上縁をなす上枠部材１７と、下縁をなし、スピーカ３３や打球発射装置３４、操作ハンドル３５等が設置された下枠部材１８と、左側縁をなす左枠部材１９と、右側縁をなす右枠部材２０とから構成されて、これら上下左右の枠部材１７,１８,１９,２０を組付けた際に、全体が前記外枠１１の開口に整合する矩形枠状に形成される。そして、前記上下左右の枠部材を組付けた際に前後に開口する開口部分が、前記遊技盤３６を設置する遊技盤保持部２２として機能する。ここで、前記中枠１２は、前記外枠１１の左上端部および左下端部に設けられた支軸(図示せず)を介して枢支され、左側端部を中心として中枠１２を回転させることで、該外枠１１に対して中枠１２を開閉し得るようになっている。
【００２０】
また、図３に示すように、前記左枠部材１９の開口内側(遊技盤保持部２２側)には、上下に離間する位置に、前記遊技盤３６の左側端部を回転および着脱可能に保持する回転保持具２３,２３が複数設けられると共に、上下の枠部材における右端部(右枠部材２０側)に、固定位置および固定解除位置に回転可能な固定具２４,２４が夫々設けられており、該固定具２４,２４により遊技盤３６の右側上下端部を中枠１２に固定し得るようになっている。すなわち、前記遊技盤３６を中枠１２に配設するには、該遊技盤３６の左側端部を前記回転保持具２３,２３で保持した状態で、遊技盤３６の右側端部を押し込んで遊技盤３６の左側端部(回転保持具２３,２３)を中心に回動させて遊技盤３６の全体を遊技盤保持部２２に臨ませて、前記固定具２４,２４を固定位置に回転変位させて遊技盤３６の右側上下端部を支持固定する。このように中枠１２に組付けられる遊技盤３６は、その周縁部の裏面が前記上下および左の各枠部材１７,１８,１９,２０に当接支持された状態で、前記回転保持具２３,２３および固定具２４,２４で対応箇所の前面が当接支持されて、前後方向の移動が規制される。そして、この状態の遊技盤３６の前面(後述する板部材３８の前面)は、該中枠１２に組付けられている前記前枠１４のガラス板１４ａに対して予め設定された距離だけ離間する位置に臨むよう構成されている(図１４,図１５参照)。
【００２１】
図３に示すように、前記上枠部材１７の裏側には、設置枠台等に設けられた外部球供給設備から供給されるパチンコ球を貯留する球タンク２５が、該上枠部材１７の左右幅の略全幅に亘って設けられている。この球タンク２５は、前記遊技盤保持部２２に配設された遊技盤３６の裏側上部に重なるよう形成されており、遊技盤３６の上下寸法を最大限大きくし得るようになっている。また、前記下枠部材１８の裏側には、前記上下の球受け皿１５,１６に連通する球供給路および設置枠台に設けた球回収樋に連通する球排出路(何れも図示せず)が夫々形成されたセット部材２６が配設されている(図２参照)。なお、前記球タンク２５とセット部材２６とは、両部材間に架設された球通路ユニット２７を介して連通接続されており、該球通路ユニット２７に配設された球払出し装置２７ａの駆動により球タンク２５に供給されたパチンコ球Ｂを前記上下の球受け皿１５,１６へ給出するよう構成されている。
【００２２】
前記セット部材２６には、図２に示すように、パチンコ機１０の電源制御を行なう電源装置２８、前記球通路ユニット２７に配設した球払出し装置２７ａを駆動制御する払出し制御装置２９、前記打球発射装置３４を駆動制御する発射制御装置３０、外部端末に接続されるインターフェース基板３１等が配設されている。なお、これらの各装置２８,２９,３０,３１は、前記遊技盤３６の裏側に配設される主制御装置３２に配線接続され、該主制御装置３２からの制御信号に基づいて所定の制御を実行するようになっている。
【００２３】
(遊技盤について)
前記中枠１２の遊技盤保持部２２に配設される前記遊技盤３６は、図４に示すように、前面(盤面)にパチンコ球Ｂが流下可能な遊技領域３７が画成され、合板等の木製で平板状の板部材３８と、該板部材３８の裏面に組付けられて前記図柄表示装置１３が着脱可能に配設されると共に、複数の可動演出装置４０,４１,４２,４３が配設される裏ユニット３９とから構成され(図６参照)、該裏ユニット３９に形成された前後に開口する開口部(可視部)３９ａを介して図柄表示装置１３の表示面を前面側から視認し得るよう構成されている。裏ユニット３９に形成される開口部３９ａは、図９に示す如く、該裏ユニット３９の上下および左右幅の大部分が開口する大型の開口部であって、該開口部３９ａの周囲に前記可動演出装置４０,４１,４２,４３(図８参照)が配設されている。なお、実施例の板部材３８は、一定の厚み寸法(１０ｍｍ)の平板状に形成される。
【００２４】
(板部材について)
図１または図４に示すように、前記板部材３８の前面には、円弧状に形成した案内レール４４が配設されると共に、該案内レール４４の右方位置に、左端縁が右方に凹む円弧状に形成した第１盤面飾り部材４５ａが配設されている。そして、前記案内レール４４および第１盤面飾り部材４５ａにより前記遊技領域３７が略円形状に画成される。また、前記板部材３８の盤面には、前記案内レール４４の左方(遊技領域３７の外側)の上下位置に第２盤面飾り部材４５ｂが夫々が配設されている。更に、板部材３８の遊技領域３７には、前記裏ユニット３９に形成された開口部３９ａの前側に前後に貫通する貫通口(可視部)３８ａが形成されており、裏ユニット３９に形成された開口部３９ａおよび板部材３８の貫通口３８ａから遊技盤３６の可視部が構成される。そして、該貫通口３８ａに対して、後述する前後に開口する枠状の装飾枠部材５４が配設されるようになっている。
【００２５】
前記板部材３８には、後述する装飾枠部材５４の下方位置に、前記遊技領域３７を流下するパチンコ球Ｂが入賞可能な始動入賞装置(入賞装置)４６や特別入賞装置４７が配設されている。また、板部材３８には、特別入賞装置４７の左右両側に、後述する普通入賞口６０ａ,６０ｂが夫々が設けられている。
【００２６】
前記始動入賞装置４６は、図７に示す如く、前記板部材３８の前面にネジ固定される第１取付ベース板４６ａの前面側に、前記遊技領域３７を流下するパチンコ球Ｂが入賞可能な上下の始動入賞口(入賞口)４６ｂ,４６ｃが設けられる。そして、前記始動入賞装置４６の始動入賞口４６ｂ,４６ｃへ入賞したパチンコ球Ｂが始動入賞センサ４８(図２１参照)で検出されることで、図柄表示装置１３の表示面で図柄変動が開始されると共に、所定数(例えば５個)のパチンコ球Ｂが賞球として前記上下の球受け皿１５,１６に払い出されるようになっている。なお、前記下側の始動入賞口４６ｃを挟む左右位置には、相互に近接および離間するよう揺動可能な一対の羽根部材４９,４９が設けられており、第１取付ベース板４６ａの後面側に固定された装置本体(本体部)５０(図６参照)に設けた図示しないソレノイドの駆動により羽根部材４９,４９を揺動することで、下側の始動入賞口４６ｃが開閉されるようになっている。始動入賞装置４６の始動入賞口４６ｂ,４６ｃについて、区別する場合には上側のものを上部始動入賞口４６ｂと指称すると共に、下側のものを下部始動入賞口４６ｃと指称する。
【００２７】
前記特別入賞装置４７は、板部材３８の前面にネジ固定される第２取付ベース板４７ａに、前後に開口する横長の特別入賞口４７ｂが開設されると共に、該第２取付ベース板４７ａの後面側に、該特別入賞口４７ｂを介してパチンコ球Ｂが入賞可能な入賞空間が形成された装置本体(本体部)５１(図６参照)が設けられている。また、前記特別入賞口４７ｂを開閉自在に閉成する開閉扉５２を装置本体５１に設けた図示しないソレノイドの駆動により開閉することで、特別入賞口４７ｂが開閉されるようになっている。そして、前記図柄表示装置１３で行なわれる図柄変動演出の結果、該図柄表示装置１３に所定の図柄組み合わせ(例えば同一図柄の三つ揃い等)で図柄が停止表示されることで所謂「大当り」が発生し、これにより特別入賞装置４７の特別入賞口４７ｂが開放され、該特別入賞口４７ｂに入賞したパチンコ球Ｂが特別入賞センサ５３(図２１参照)で検出されることで、多数の賞球が上下の下球受け皿１５,１６に払い出されるよう構成される。なお、始動入賞装置４６の装置本体５０および特別入賞装置４７の装置本体５１は、板部材３８に穿設された挿通口３８ｂを介して板部材３８の後方に所定長さで延出し、両装置本体５０,５１が裏ユニット３９の後述する収容部６８に収容されるようになっている。
【００２８】
前記板部材３８の前面には、前記装飾枠部材５４の左側に臨む遊技領域３７に、該遊技領域３７を流下するパチンコ球Ｂが通過可能な球通過ゲート２１が配設されている。球通過ゲート２１には、該ゲート２１を通過するパチンコ球Ｂを検出した際に、図示しない普通図柄表示装置における普通図柄の変動表示の契機となる入球検知信号を出力する普通図柄入球検出手段(図示せず)が配設されている。この普通図柄入球検出手段は、前記主制御装置３２に電気的に接続され、該主制御装置３２は、球通過ゲート２１を通過するパチンコ球Ｂを普通図柄入球検出手段が検出したことを条件として、前記始動入賞装置４６の羽根部材４９,４９を開放するか否かの抽選を行なうよう設定されている。
【００２９】
(装飾枠部材について)
前記板部材３８に形成されている前記貫通口３８ａに対し、前後に開口する枠状の装飾枠部材５４が配設される。すなわち、前記裏ユニット３９の開口部３９ａから臨む前記図柄表示装置１３の表示面は、前記装飾枠部材５４における前後に開口する窓口５４ａを介して板部材３８の前側に露出して、該図柄表示装置１３の表示面で展開される図柄変動演出を前側から視認し得るようになっている。実施例では、装飾枠部材５４の窓口５４ａに対応する領域が、図柄表示装置１３の表示部を前側から視認可能とする遊技盤３６の可視部と対応している。また、装飾枠部材５４には、上縁部から左右両縁部に亘り、板部材３８より前面に突出する円弧状の庇状部５４ｂが設けられており、前記遊技領域３７に打ち出されたパチンコ球Ｂが装飾枠部材５４の窓口５４ａを横切って流下するのを該庇状部５４ｂで規制している。
【００３０】
前記装飾枠部材５４には、図４に示す如く、窓口５４ａの下側に、枠内に取込まれたパチンコ球Ｂを左右に転動可能なステージ５５が配設されており、該ステージ５５から遊技領域３７に排出されたパチンコ球Ｂが、前記始動入賞装置４６の始動入賞口４６ｂ,４６ｃ、特別入賞装置４７の特別入賞口４７ｂまたは普通入賞口６０ａ,６０ｂ等に入賞可能に構成される。また、装飾枠部材５４には、窓口５４ａの左側に、遊技領域３７を流下するパチンコ球Ｂをステージ５５に案内する球通路部５６が設けてある。
【００３１】
(誘導路について)
前記板部材３８の遊技領域３７には、複数の遊技釘５７が植設されており、遊技領域３７を流下するパチンコ球Ｂは、該遊技釘５７によって流下方向が変更されるようになっている。特に、前記装飾枠部材５４の下側で前記始動入賞装置４６を挟む左右両側の遊技領域３７には、前記遊技釘５７によって始動入賞装置４６の始動入賞口４６ｂ,４６ｃに向けてパチンコ球Ｂを誘導可能な誘導路５８,５９が夫々形成されている。左右の誘導路５８,５９の構成は、図７に示すように流路の長さが異なるだけで基本的な構成は同じであるので、左側の誘導路５８,５９の構成についてのみ説明する。
【００３２】
前記誘導路５８,５９は、始動入賞装置４６に設けられる上下の始動入賞口４６ｂ,４６ｃに対応して上下２段で形成されている。上側に位置する上段誘導路５８は、複数の遊技釘５７を、始動入賞装置４６の上部始動入賞口４６ｂに向けて斜め下方に傾斜する線に沿って基本的にはパチンコ球Ｂの直径より小さい間隔(パチンコ球Ｂが落下しない間隔)で板部材３８に植設して形成されて、該上段誘導路５８に沿って流下するパチンコ球Ｂを上部始動入賞口４６ｂに向けて誘導可能に構成される。また下段誘導路５９は、始動入賞装置４６の下部始動入賞口４６ｃに向けて斜め下方に傾斜する線に沿って複数の遊技釘５７を、基本的にはパチンコ球Ｂの直径より小さい間隔(パチンコ球Ｂが落下しない間隔)で板部材３８に植設して形成されて、該下段誘導路５９に沿って流下するパチンコ球Ｂを下部始動入賞口４６ｃに向けて誘導可能に構成される。上下の誘導路５８,５９には、その流路の途中に、隣接する遊技釘５７,５７の間隔をパチンコ球Ｂの直径より大きくすることで誘導路５８,５９に沿って流下するパチンコ球Ｂを誘導路外に落下させる複数(実施例では２つ)の落下口５８ａ,５９ａが設けられており、該落下口５８ａ,５９ａによって前記上下の始動入賞口４６ｂ,４６ｃへのパチンコ球Ｂの誘導確率を調節するようになっている。
【００３３】
（普通入賞口について）
前記板部材３８には、前記下段誘導路５９の下方位置に、前記特別入賞装置４７を挟む左右両側に普通入賞口６０ａ,６０ｂが夫々設けられている。実施例では、図７に示す如く、特別入賞装置４７を挟む左側および右側の夫々に、２つの普通入賞口６０ａ,６０ｂが、対応する下段誘導路５９に略沿った階段状となるよう上下および左右に離間して設けられている。そして、普通入賞口６０ａ,６０ｂに入賞したパチンコ球Ｂを、前記裏ユニット３９の後述する球通路８０,８１に設けた普通入賞センサ(球検出手段)８８,８９(図１２,図１３,図２１参照)が検出することで、所定数(例えば１０個)の賞球が前記上下の球受け皿１５,１６に払い出されるようになっている。なお、下段誘導路５９と各普通入賞口６０ａ,６０ｂとの間の遊技領域３７にも複数の遊技釘５７が植設されて、各普通入賞口６０ａ,６０ｂへのパチンコ球Ｂの入賞確率を調節するよう構成される。また、普通入賞口６０ａ,６０ｂについて、特別入賞装置４７を挟んで左側に設けられる普通入賞口と右側に設けられる普通入賞口とを区別する場合は、左普通入賞口、右普通入賞口と指称する場合もある。
【００３４】
前記特別入賞装置４７の左側に設けられる前記左普通入賞口６０ａ,６０ｂは、前面側に所要の装飾が施されて前記板部材３８に配設される左装飾体６１に形成されている。この左装飾体６１は、図７に示す如く、前記案内レール４４の内側に沿って、特別入賞装置４７の左側方から前記下段誘導路５９の上端部より上方まで延在する大型の部品であって、板部材３８の対応する位置に形成された左取付孔６２ａを塞ぐように前面にネジ止めされている。２つの左普通入賞口６０ａ,６０ｂは、左装飾体６１の下部側において上下２段で形成されており、各左普通入賞口６０ａ,６０ｂに対応して左装飾体６１の裏面に突設された図示しない樋部が、左取付孔６２ａに挿通されて、各左普通入賞口６０ａ,６０ｂは、前記裏ユニット３９に形成されている後述する左球通路８０に樋部を介して連通するよう構成される。
【００３５】
前記左装飾体６１には、２つの左普通入賞口６０ａ,６０ｂの下側に臨む位置に孔部６１ａが形成されると共に、該孔部６１ａは光透過性を有する発光用装飾部品６３で覆われている。この発光用装飾部品６３は、前記板部材３８の左取付孔６２ａ内に臨んで、後述する左発光装置７４からの光が透過することで、左普通入賞口６０ａ,６０ｂの下側を発光により装飾し得るよう構成してある。また、左装飾体６１における上側に位置する左普通入賞口６０ａより上側の部分には、裏側からの光を透過可能な光透過部６１ｂが設けられ、該光透過部６１ｂの後方に前記左発光装置７４が臨んで、該左発光装置７４の発光により遊技領域３７を装飾し得るようになっている。
【００３６】
前記特別入賞装置４７の右側に設けられる前記右普通入賞口６０ａ,６０ｂは、前面側に所要の装飾が施されて前記板部材３８に配設される右装飾体６４に形成されている。この右装飾体６４は、図７に示す如く、前記案内レール４４の内側に沿って延在し、左装飾体６１より小型の部品であって、板部材３８の対応する位置に形成された右取付孔６２ｂを塞ぐように板部材３８の前面にネジ止めされている。２つの右普通入賞口６０ａ,６０ｂは、右装飾体６４に上下２段で形成されており、各右普通入賞口６０ａ,６０ｂに対応して右装飾体６４の裏面に突設された図示しない樋部が、右取付孔６２ｂに挿通されて、各右普通入賞口６０ａ,６０ｂは、前記裏ユニット３９に形成されている後述する右球通路８１に樋部を介して連通するよう構成される。なお、実施例では、左装飾体６１に形成される２つの左普通入賞口６０ａ,６０ｂと、右装飾体６４に形成される２つの右普通入賞口６０ａ,６０ｂとは、前記特別入賞装置４７を挟んで対称となる位置に設けられている。
【００３７】
前記右装飾体６４には、２つの右普通入賞口６０ａ,６０ｂの下側に臨む位置に孔部６４ａが形成されると共に、該孔部６４ａは光透過性を有する発光用装飾部品６５で覆われている。この発光用装飾部品６３は、前記板部材３８の右取付孔６２ｂに臨んで、後述する右発光装置７６からの光が透過することで、右普通入賞口６０ａ,６０ｂの下側を発光により装飾し得るよう構成してある。
【００３８】
前記遊技領域３７の最下部、すなわち前記特別入賞装置４７の下側には、前記始動入賞口４６ｂ,４６ｃ、特別入賞口４７ｂおよび各普通入賞口６０ａ,６０ｂに入賞することなく流下したパチンコ球Ｂを機裏側に排出するアウト口６６が形成されている。
【００３９】
(裏ユニットについて)
前記裏ユニット３９は、図８または図９に示す如く、合成樹脂材から形成されて前側に開口する箱枠状の箱状本体６７を有し、該箱状本体６７の略中央位置に前記開口部３９ａが開設されている。箱状本体６７の下および左右の３辺の前端には、外方または内方に向けて前記板部材３８と平行に延在する複数のフランジ部６７ａが夫々形成されており、該箱状本体６７は、下および左右のフランジ部６７ａの前面を前記板部材３８の裏面に当接した状態で該板部材３８に取付けられて、該板部材３８の裏面と箱状本体６７との間に所要の設置空間を画成するよう構成してある。そして、板部材３８と箱状本体６７との間に画成される設置空間に、前記複数の可動演出装置４０,４１,４２,４３や後述する発光装置７４,７６が配置されて、遊技盤３６を装飾するようになっている。
【００４０】
(収容部について)
前記裏ユニット３９の箱状本体６７には、前記開口部３９ａの下方位置に、前記始動入賞装置４６における板部材３８から後方に突出する装置本体５０を収容する収容部６８が画成されている。この収容部６８は、後述する左右の球通路８０,８１を画成する壁部８６,８６の間において、図１０,図１１に示す如く、前方および下方に開口するように画成される。そして、収容部６８の上部領域に前記始動入賞装置４６の装置本体５０が収容されると共に、該収容部６８の下部域領に前記特別入賞装置４７の装置本体５１が収容されるようになっている。
【００４１】
前記箱状本体６７には、前記開口部３９ａの下方位置に、前記設置空間の下部側に配設される２つの可動演出装置４２,４３の取付部６９ａ,６９ｂが、前記収容部６８を挟んで左右に離間して形成されている(図９参照)。
【００４２】
(可動演出装置について)
前記裏ユニット３９に配設される可動演出装置４０,４１,４２,４３について、その基本的な構成を簡単に説明する。第１可動演出装置４０は、開口部３９ａの左側部に本体部が配設され、該本体部に支持されて開口部３９ａ側に延出する可動体７０を、前記図柄表示装置１３における表示面の前側において上下方向に移動するよう構成される。また第２可動演出装置４１は、開口部３９ａの右上部に本体部が配設され、該本体部に支持されて開口部３９ａ側に延出する可動体７１を、図柄表示装置１３における表示面の前側において左右方向に揺動するよう構成される。これに対し、第３可動演出装置４２および第４可動演出装置４３は、前記箱状本体６７における開口部３９ａの下方位置に設けられた左右の取付部６９ａ,６９ｂに配設される。
【００４３】
前記左右の取付部６９ａ,６９ｂに配設される第３および第４可動演出装置４２,４３の基本的な構成は同じであって、図１０または図１１に示す如く、ケース体７２に、モータ等の駆動手段(図示せず)および該駆動手段により作動される可動体７３を配設して、ケース体単位で扱い得るユニットとして構成されて、ケース体７２を対応する取付部６９ａ,６９ｂに着脱自在に取付けることで、可動体７３が前記開口部３９ａに対して適正な位置に臨むように構成される。そして、実施例の第３および第４可動演出装置４２,４３では、駆動手段を駆動することで、各可動体７３が前記図柄表示装置１３における表示面の前側を上下方向に揺動するように作動して、動作による演出を行なうようになっている。なお、第３および第４可動演出装置４２,４３を取付部６９ａ,６９ｂに取付けた際に、各ケース体７２の前面が箱状本体６７の前端(フランジ部６７ａの前面)と同一位置に臨むよう設定されて、前記板部材３８の裏面に裏ユニット３９を取付けた際には、該各ケース体７２の前面が板部材３８の裏面に当接するよう構成される。
【００４４】
(発光装置について)
前記箱状本体６７における左取付部６９ａに配設される第３可動演出装置４２のケース体７２には、前面に左発光装置７４が突出する状態で配設される。この左発光装置７４は、前面に複数のＬＥＤ(発光体)を配設した基板を透明な左発光用ケース７５に収容して構成され、左取付部６９ａに第３可動演出装置４２を配設した前記裏ユニット３９を前記板部材３８に取付けた際に、該左発光用ケース７５が板部材３８の左取付孔６２ａに収容されて、前記左装飾体６１の光透過部６１ｂおよび発光用装飾部品６３を裏側から照らすことができるよう構成される。また左発光用ケース７５は、前記左取付孔６２ａにおける前記樋部が臨む位置を除く部分と略同一の外形に形成されており、第３可動演出装置４２が配設された裏ユニット３９を板部材３８に取付ける際に、該左発光用ケース７５を左取付孔６２ａに収容することで、裏ユニット３９と板部材３８とが位置決めされるようになっている。
【００４５】
ここで、前記裏ユニット３９には、前記右装飾体６４に設けた発光用装飾部品６５の裏側に対応する位置に、左発光装置７４と同様に、前面に複数のＬＥＤ(発光体)を配設した基板を透明な右発光用ケース７７に収容して構成される右発光装置７６が配設されている。この右発光装置７６は、裏ユニット３９に対して前記フランジ部６７ａより前側に突出する状態で配設されて、裏ユニット３９を板部材３８に取付けた際に、該右発光用ケース７７が板部材３８の右取付孔６２ｂに収容されて、前記右装飾体６４の発光用装飾部品６５を裏側から照らすことができるよう構成される。また右発光用ケース７７は、前記右取付孔６２ｂにおける前記樋部が臨む位置を除く部分と略同一の外形に形成されており、裏ユニット３９を板部材３８に取付ける際に、該右発光用ケース７７を右取付孔６２ｂに収容することで、裏ユニット３９と板部材３８とが位置決めされるようになっている。
【００４６】
前記遊技盤３６(裏ユニット３９)の裏面に着脱可能に配設される前記図柄表示装置１３の裏面には、図２または図５に示す如く、該図柄表示装置１３の表示を制御する演出表示制御装置７８が配設されている。また図柄表示装置１３の裏面には、前記可動演出装置４０,４１,４２,４３を可動制御したり、前記発光装置７４,７６を発光制御したり、前記スピーカ３３の効果音出力制御等を行なう統括制御装置７９が、演出表示制御装置７８に隣接して配設されている。パチンコ機１０では、制御装置同士または制御装置と遊技部品である可動演出装置４０,４１,４２,４３、発光装置７４,７６、図柄表示装置１３、スピーカ３３、始動入賞センサ４８、特別入賞センサ５３および後述する普通入賞センサ８８,８９や磁気センサ９６等が配線または後述する中継基板１１３,１１４,１１５を介して電気的に接続される。
【００４７】
前記主制御装置３２には、始動入賞口４６ｂ,４６ｃに入賞したパチンコ球Ｂを検出した始動入賞センサ４８からの検出信号や、特別入賞口４７ｂに入賞したパチンコ球Ｂを検出した特別入賞センサ５３からの検出信号や、普通入賞口６０ａ,６０ｂに入賞したパチンコ球Ｂを検出した普通入賞センサ８８,８９からの検出信号が入力される。主制御装置３２は、制御動作を所定の手順で実行することができる主制御用ＣＰＵ、主制御用ＣＰＵの制御プログラムを格納する主制御用ＲＯＭおよび必要なデータの書き込みおよび読み出しができる主制御用ＲＡＭ等の電子部品(何れも図示せず)を備えている。主制御装置３２は、大当り判定用乱数、大当り図柄用乱数や変動パターン振分用乱数などの各種乱数の値を所定の周期毎に更新し、更新後の値を主制御用ＲＡＭの設定領域に記憶(設定)することで更新前の値を書き換えており、乱数更新処理(乱数生成処理)を実行するようになっている。例えば、主制御装置３２では、始動入賞センサ４８から検出信号が入力されると、主制御用ＣＰＵが主制御用ＲＯＭから大当り判定用乱数を取得し、この大当り判定用乱数と主制御用ＲＡＭの大当り判定値とを比較し、大当りとするか否かの大当り抽選(大当り判定)を行なう。また主制御装置３２では、前記大当り判定の結果が大当りの場合には、大当り演出のみが含まれる変動パターンテーブルから大当り演出を決定する。これに対して、前記大当り判定の結果がはずれの場合には、はずれ演出のみが含まれる変動パターンテーブルからはずれ演出を決定する。大当り演出およびはずれ演出の決定は、前記大当り判定と同様に、主制御用ＣＰＵが主制御用ＲＯＭから取得した乱数により行なう。なお、変動パターンテーブルから決定される大当り演出およびはずれ演出の変動パターンは、少なくとも図柄変動ゲームの変動時間および演出内容を特定するものである。そして、パチンコ機１０では、主制御装置３２の抽選結果に応じて出力された統括制御装置７９の制御信号に基づいて、演出表示制御装置７８が図柄表示装置１３に所定の演出表示を行なわせると共に、主制御装置３２の制御により出力された払出し制御装置２９の制御信号に基づいて、球払出し装置２７ａによって所定数の賞球が払い出される。また、パチンコ機１０では、統括制御装置７９の制御信号に基づいて、可動演出装置４０,４１,４２,４３を作動させたり、各発光装置７４,７６を発光させたり、スピーカ３３から効果音を出力するようになっている。このように、始動入賞口４６ｂ,４６ｃに入賞したパチンコ球Ｂを検出する始動入賞センサ４８からの検出信号は図柄変動ゲームにおいて大当たり抽選の契機となるので、パチンコ機１０において始動入賞口４６ｂ,４６ｃに対する不正行為を検出する重要性が高い。
【００４８】
（球通路について）
前記裏ユニット３９の箱状本体６７における開口部３９ａより下方位置には、図８〜図１３に示すように、前記板部材３８に設けられた左右の普通入賞口６０ａ,６０ｂと対応する位置に、各普通入賞口６０ａ,６０ｂに入賞したパチンコ球Ｂを遊技盤３６の下方へ排出案内する球通路８０,８１が形成されている。ここで、前記左右の球通路８０,８１は、基本的には左右対称であるので、左側に位置する左球通路８０の構成について説明し、右側に位置する右球通路８１に関しては、同一の符号を付して詳細な説明を省略する。
【００４９】
前記左球通路８０は、図１２に示す如く、前方に開口する複数の通路８２,８３,８４,８５を連通して構成され、各通路８２,８３,８４,８５を画成する壁部８６の前端は、前記フランジ部６７ａの前面と同一面に位置しており、裏ユニット３９を板部材３８の裏面に取付けた際には壁部８６の前端が板部材３８の裏面に当接して、該左球通路８０の前方開口は板部材３８により塞がれるようになっている(右球通路８１も同じ)。左球通路８０は、上側(収容部６８から離間する側)に位置する左普通入賞口６０ａに連通する第１傾斜通路(上傾斜通路)８２と、下側(収容部６８に近接する側)に位置する左普通入賞口６０ｂに連通する第２縦通路(下縦通路)８５とを、第１縦通路(縦通路)８４および第２傾斜通路(傾斜通路)８３を介して連通して構成されて、両普通入賞口６０ａ,６０ｂに入賞したパチンコ球Ｂを、集合して第２縦通路８５の下流端(下端)に形成した球排出口８７を介して前記セット部材２６の球排出路に排出するよう構成される。なお、前記箱状本体６７の下辺に形成されるフランジ部６７ａは、図９に示す如く、第２傾斜通路８３を画成する壁部８６の下側に一体的に形成されており、該フランジ部６７ａを前記板部材３８に当接固定することで、左球通路８０の前端を板部材３８の裏面に確実に当接させるようになっている。
【００５０】
前記第１傾斜通路８２は、上流端部が前記上側の左普通入賞口６０ａに樋部を介して連通し、該連通部から前記収容部６８に向けて下側の左普通入賞口６０ｂより上方位置を下方傾斜するよう形成される。この第１傾斜通路８２の下流端部に、上下方向に延在する前記第１縦通路８４の上端部が連通接続される。第１縦通路８４の下端部側には球検出手段としての第１普通入賞センサ８８が取付けられる取着部８４ａが形成されており、上側の左普通入賞口６０ａに入賞し、第１傾斜通路８２から第１縦通路８４に流入したパチンコ球Ｂを、該取着部８４ａに取付けた第１普通入賞センサ８８で検出することで賞球が払い出されるようになっている。なお、第１傾斜通路８２は、図１２に示す如く、前記左発光装置７４における前記発光用装飾部品６３の裏側に臨む下端部７４ａとの干渉を避けるように、該下端部７４ａの上側を収容部６８に向けて下方傾斜するよう形成されている。また右球通路８１における第１傾斜通路８２は、図１３に示す如く、前記右発光装置７６との干渉を避けるように、該右発光装置７６の上側を収容部６８に向けて下方傾斜するよう形成されている。
【００５１】
前記第１縦通路８４の下端に前記第２傾斜通路８３の上流端が連通接続され、該第２傾傾斜通路８３は、前記収容部６８から離間する方向に向けて下方傾斜するように形成されている。そして、該第２傾斜通路８３の下流端が、前記第２縦通路８５に連通接続される。この第２縦通路８５は、図１２に示す如く、前記第１傾斜通路８２の下側において上下方向に延在するよう形成されて、前記下側の左普通入賞口６０ｂに樋部を介して連通している。また第２縦通路８５の下端部側には球検出手段としての第２普通入賞センサ８９が取付けられる取着部８５ａが形成されており、下側の左普通入賞口６０ｂに入賞して第２縦通路８５に流入したパチンコ球Ｂを、該取着部８５ａに取付けた第２普通入賞センサ８９で検出することで賞球が払い出されるようになっている。
【００５２】
前記両縦通路８４,８５に配設される普通入賞センサ８８,８９としては、該普通入賞センサ８８,８９に設けた通孔８８ａ,８９ａ(図１１または図１４参照)をパチンコ球Ｂが通過する際に、該パチンコ球Ｂによって押圧部材(図示せず)が押されることでパチンコ球Ｂを検出する機械式のスイッチが用いられる。普通入賞センサ８８,８９の通孔８８ａ,８９ａは、パチンコ球Ｂの１個分の開口寸法で、円形または多角形状に開口されるものであって、該通孔８８ａ,８９ａを通過するパチンコ球Ｂは、その中心が通孔８８ａ,８９ａの中心に略整列した状態で落下するよう構成される。また普通入賞センサ８８,８９は、対応する縦通路８４,８５に対して、該縦通路８４,８５の水平断面での開口領域の中心と前記通孔８８ａ,８９ａの中心とが略一致するように配設される。なお、この普通入賞センサ８８,８９としては、通孔をパチンコ球が通過する際の磁気や静電容量の変化によって球検出を非接触で行なう近接センサを用いることもできる。
【００５３】
(案内部について）
前記第１縦通路８４と第２傾斜通路８３とがなす屈曲部９０の下隅部には、図１７に示す如く、第１縦通路８４から落下するパチンコ球Ｂを第２傾斜通路８３に向けて案内する案内部としての傾斜面９１が設けられている。この傾斜面９１は、第２傾斜通路８３の傾斜角度より大きな角度で第２傾斜通路８３に向けて直線状に下方傾斜するよう形成されると共に、第１縦通路８４から落下するパチンコ球Ｂの中心を通る落下中心線Ｃより第２傾斜通路８３と反対側の外周下側が接触する位置に設けられている。より具体的には、図１８に示す如く、傾斜面９１にパチンコ球Ｂが接触したときの該パチンコ球Ｂの傾斜面９１との接点Ｐと、該パチンコ球Ｂの中心Ｏとを通る跳出線Ｌが、前記第１縦通路８４と第２傾斜通路８３とがなす屈曲部９０の上角部９０ａより第２傾斜通路８３側を通るように、当該傾斜面９１の位置が設定される。なお、傾斜面９１の傾斜角度は、パチンコ球Ｂを第２傾斜通路８３に向けて確実に案内すると共に、該傾斜面９１の形成領域の上下寸法を小さく抑える点で、４０〜５０°の範囲が好ましく、４５°が最も好適である。また、傾斜面９１における前記接点Ｐから第１縦通路８４の下端までの高さ寸法は、パチンコ球Ｂの直径の１.５〜２倍程度に設定される。
【００５４】
ここで、前記第１縦通路８４から落下するパチンコ球Ｂが傾斜面９１に衝突した際には、該パチンコ球Ｂの勢い等によっては跳出線Ｌに沿う方向に向けて跳ね返る可能性がある。実施例では、跳出線Ｌが、屈曲部９０の上角部９０ａより第２傾斜通路８３側を通るよう傾斜面９１の角度および位置が設定されているから、該跳出線Ｌに沿う方向にパチンコ球Ｂが跳ね返ったとしても、該パチンコ球Ｂは上角部９０ａに対して中心より上側の部分が当たり、該パチンコ球Ｂが第１縦通路８４側に戻るのは阻止されるようになっている。なお、屈曲部９０の下隅部には肉盗み９２が設けられ、樹脂材料からなる裏ユニット３９の成形時におけるヒケを防止して傾斜面９１を設計通りの角度に形成し得るようにしてある。また、肉盗み９２を設けることによって傾斜面９１の強度も均一化して耐久性が向上される。
【００５５】
(センサ設置部について)
前記裏ユニット３９における前記収容部６８を挟む左右両側に、後述する磁気センサ９６を設置するためのセンサ設置部９３,９４が設けられている(図９参照)。収容部６８の左側方に設けられる左センサ設置部９３および右側方に設けられる右センサ設置部９４の構成は左右対称であるので、左センサ設置部９３の構成について説明し、右センサ設置部９４に関しては、同一の符号を付して詳細な説明を省略する。
【００５６】
前記左センサ設置部９３は、図１２に示す如く、前記左取付部６９ａに配設された第３可動演出装置４２と左球通路８０との間に設けられている。具体的には、第３可動演出装置４２のケース体７２と、左球通路８０における第１傾斜通路８２を画成する上側の壁部８６との間に左センサ設置部９３が設けられる。この左センサ設置部９３は、前記壁部８６の前端(裏ユニット３９の前端)から後方に向けて凹設され、該左センサ設置部９３の後壁(裏ユニット３９の壁)に、左右方向(磁気センサ９６におけるリード片１００,１００の延在方向)に離間して一対のセンサ位置決め部９５,９５が前側に向けて突設されており、両センサ位置決め部９５,９５に、磁気センサ９６がセンサケース９７を介して着脱自在に位置決め固定されるようになっている。そして、センサ位置決め部９５,９５にセンサケース９７を介して磁気センサ９６を位置め固定することで、該磁気センサ９６は、後述するリード片１００,１００の延在方向が、前記板部材３８の裏面と平行となる姿勢で位置決めされる。また、左センサ設置部９３に位置決め固定された磁気センサ９６の磁気検出可能範囲が、前記始動入賞装置４６の上下の始動入賞口４６ｂ,４６ｃ、特別入賞装置４７の特別入賞口４７ｂおよび左側の上下の誘導路５８,５９の落下口５８ａ,５９ａに及ぶ位置に臨むように、当該左センサ設置部９３の位置が設定してある。なお、実施例では、磁気センサ９６の磁気検出可能範囲は、対応する側の普通入賞口６０ａ,６０ｂにも及ぶようにセンサ設置部９３,９４の位置が設定されている。また、前記各センサ位置決め部９５は、円柱状に形成されると共に、ネジ孔９５ａが前面に開口するように形成してある。
【００５７】
また左センサ設置部９３には、両センサ位置決め部９５,９５の間において左右方向(リード片１００,１００の延在方向)に延在する支持片９８が設けられ、該支持片９８は、図１４または図１５に示す如く、両センサ位置決め部９５,９５に位置決め固定された磁気センサ９６の裏面に当接して、該磁気センサ９６を左右方向の所定長さに亘って支持するよう構成される。前記センサ位置決め部９５,９５および支持片９８の前端位置は、これらセンサ位置決め部９５,９５および支持片９８を介して磁気センサ９６が収容されるセンサケース９７を位置め固定した際に、該センサケース９７の前面が、裏ユニット３９の前端(フランジ部６７ａの前面)と同一位置に臨むよう設定される。また、左センサ設置部９３に位置決め固定されたセンサケース９７は、前記第３可動演出装置４２のケース体７２および左球通路８０の壁部８６によって、上下方向(リード片１００,１００の延在方向と交差する方向)の両側から挟持されて、該センサケース９７(磁気センサ９６)の姿勢が変化するのを規制するよう構成される。すなわち、実施例では、第３可動演出装置４２のケース体７２および左球通路８０の壁部８６が、磁気センサ９６をリード片１００,１００の延在方向と交差する方向から挟持する支持部として機能するようになっている。
【００５８】
なお、右センサ設置部９４は、前記右取付部６９ｂに配設された第４可動演出装置４３と右球通路８１との間に設けられて、第４可動演出装置４３のケース体７２および右球通路８１の壁部８６が、磁気センサ９６をリード片１００,１００の延在方向と交差する方向から挟持する支持部として機能する。
【００５９】
(磁気センサについて)
前記左右のセンサ設置部９３,９４に配設される磁気センサ９６およびセンサケース９７の構成は、基本的には同一であるので、左センサ設置部９３に配設される磁気センサ９６およびセンサケース９７の構成について説明し、右センサ設置部９４に配設される磁気センサ９６およびセンサケース９７に関しては、同一の符号を付して詳細な説明を省略する。
【００６０】
前記磁気センサ９６は、図１９に示す如く、長方形状のケーシング９９の内部に、その長手方向に沿う方向に延在する一対のリード片１００,１００の一部を接離可能に対向配置して構成されたリードスイッチであって、ケーシング９９の長手方向の一端から配線１０１が延出するよう構成される。またケーシング９９には、短手方向に対向する上下の両側面に外方に延出する規制部９９ａ,９９ａが形成されている。
【００６１】
前記磁気センサ９６は、センサケース９７に収容された状態で、前記左センサ設置部９３に配設される。このセンサケース９７は、図２０に示す如く、前記ケーシング９９を収容可能な収容凹部１０２を後方に開放する箱状に形成されて、該収容凹部１０２に磁気センサ９６が後方から収容されるよう構成される。また、センサケース９７の上下に対向する側壁１０３,１０３には、前記ケーシング９９に設けた規制部９９ａ,９９ａが嵌合する溝部１０３ａ,１０３ａが形成されており、該溝部１０３ａ,１０３ａに規制部９９ａ,９９ａを嵌合することで、センサケース９７に対して磁気センサ９６が適正な姿勢に位置決めされるようになっている。更に、センサケース９７の前記側壁１０３,１０３には後方に延出するフック１０４,１０４が設けられており、収容凹部１０２に磁気センサ９６を収容した際に、該フック１０４,１０４が磁気センサ９６(ケーシング９９)の裏面に係脱自在に係合して、該磁気センサ９６をセンサケース９７に収容状態で保持するよう構成される。なお、各フック１０４は、図２０(ｃ)に示す如く、側壁１０３に形成された前記溝部１０３ａに隣接して設けられると共に、該側壁１０３にはフック１０４を挟んで溝部１０３ａと反対側に切欠部１０３ｂが形成されており、溝部１０３ａおよび切欠部１０３ｂによってフック１０４が弾性変形可能に構成される。
【００６２】
前記センサケース９７には、長手方向の一端において該長手方向に沿って延出する第１鍔部１０５が設けられると共に、長手方向の他端部側において短手方向に沿って延出する第２鍔部１０６が設けられており、各鍔部１０５,１０６に前後方向に貫通する通孔１０５ａ,１０６ａが穿設されている。また各鍔部１０５,１０６の裏面には、対応する通孔１０５ａ,１０６ａを囲むように円筒状の突部１０５ｂ,１０６ｂが形成されて、該突部１０５ｂ,１０６ｂの内側に、前記センサ位置決め部９５の前端が嵌挿可能な凹部１０５ｃ,１０６ｃが形成されている。そして、センサケース９７は、第１鍔部１０５が前記左センサ設置部９３における収容部６８から離間する方向を向く姿勢で、第１および第２鍔部１０５,１０６の凹部１０５ｃ,１０６ｃに対応するセンサ位置決め部９５,９５の前端部を嵌挿した状態で、該鍔部１０５,１０６の通孔１０５ａ,１０６ａに前側から挿通したネジ１０７,１０７を、対応するセンサ位置決め部９５,９５のネジ孔９５ａ,９５ａに螺挿することで、当該センサケース９７が左センサ設置部９３に位置決め固定されるよう構成される。なお、前記センサケース９７に設けられるフック１０４,１０４は、前記センサ位置決め９５,９５と干渉しない位置に設けられると共に、該フック１０４,１０４の後端は、裏ユニット３９の前端から凹設される左センサ設置部９３に収容されて、センサケース９７(磁気センサ９６)のセンサ位置決め部９５,９５による位置決めを阻害しないようにしてある。
【００６３】
前記センサケース９７における第２鍔部１０６が設けられる長手方向の他端側(収容部６８を向く側)の側壁１０８に後方および左右方向に開口する切欠部１０８ａが形成されており、前記収容凹部１０２に収容される前記磁気センサ９６の長手方向の一端にコネクタ接続される配線１０１が、該切欠部１０８ａを介して外部に引き出されるよう構成される。なお、前記磁気センサ９６に対して配線１０１は、該磁気センサ９６における切欠部１０８ａに対応する端部に設けられたソケットの切欠部１０８ａ側に向けて開口する接続口に、該配線１０１の一端に接続するプラグを差込んで接続されるようになっている。
【００６４】
(配線の通孔について)
前記裏ユニット３９における前記収容部６８を画成する後壁６８ａには、該収容部６８に収容される始動入賞装置４６の装置本体５０と左センサ設置部９３との間に臨む位置に前後方向に貫通する配線通孔１０９が形成されている(図１２参照)。そして、前記磁気センサ９６に接続される配線１０１が、前記配線通孔１０９を介して裏ユニット３９の裏側に引き出されて、後述する第２中継基板１１４に接続されるようになっている。また後壁６８ａには、配線通孔１０９の形成位置より始動入賞装置４６の装置本体５０が収容される側に、前方に所定長さだけ突出する仕切壁６８ｂ(図１６参照)が形成されており、装置本体５０の後端が収容される領域と配線１０１が引き回される領域とを仕切るよう構成してある。
【００６５】
前記裏ユニット３９の裏面には、前記箱状本体６７に配設された前記図柄表示装置１３の下方位置に、図１６に示す如く、第１〜第３中継基板設置部１１０,１１１,１１２が左右方向に隣接して形成されている。そして、前記第１〜第３中継基板設置部１１０,１１１,１１２には、複数のコネクタ接続部が設けられた第１〜第３の中継基板１１３,１１４,１１５が配設されて、該第１〜第３の中継基板１１３,１１４,１１５に設けたコネクタ接続部に対して、前記可動演出装置４０,４１,４２,４３や発光装置７４,７６等の遊技部品に接続した配線が接続されると共に、前記統括制御装置７９に接続した配線を第１〜第３の中継基板１１３,１１４,１１５にコネクタ接続するよう構成されている。図１６において左側に位置する第１中継基板設置部１１０は、前記左球通路８０の裏側に位置し、図１６において右側に位置する第３中継基板設置部１１２は、前記右球通路８１の裏側に位置し、図１６において中央に位置する第２中継基板設置部１１１は、前記収容部６８の裏側に位置している。そして、前記配線通孔１０９から裏ユニット３９の裏側に引き出された前記配線１０１は、第２中継基板設置部１１１に配設された第２中継基板(中継基板)１１４にコネクタ接続されて、前記磁気センサ９６が統括制御装置７９に電気的に接続されるようになっている。そして、磁気センサ９６が磁気を検出すると、検出信号が第２中継基板１１４を介して統括制御装置７９に送られ、該統括制御装置７９では、異常報知を行なうよう設定される。この異常報知としては、例えばパチンコ機１０に設けられる全ての発光装置を消灯したり、スピーカ３３により異常を音声により報知する等が挙げられる。
【００６６】
〔実施例の作用〕
次に、前述した実施例に係るパチンコ機の作用につき説明する。
【００６７】
前記遊技領域３７に打ち出されたパチンコ球Ｂは、前記装飾枠部材５４の主に左側の遊技領域３７を、前記複数の遊技釘５７によって不規則な流路を流下する。そして、遊技領域３７を流下するパチンコ球Ｂが装飾枠部材５４の前記球通路部５６に通入すると、該パチンコ球Ｂは前記ステージ５５に通出され、該ステージ５５を左右に転動した後に遊技領域３７に排出され、このパチンコ球Ｂは始動入賞装置４６の上部始動入賞口４６ｂや普通入賞口６０ａ,６０ｂに入賞可能となる。何れの入賞口４６ｂ,６０ａ,６０ｂにも入賞しなかったパチンコ球Ｂは、前記アウト口６６から盤裏側に排出される。
【００６８】
前記球通路部５６に通入しなかったパチンコ球Ｂは、前記左側の上下の誘導路５８,５９の傾斜上端部に至る。そして、上段誘導路５８に導入されたパチンコ球Ｂは、前記始動入賞装置４６の上部始動入賞口４６ｂに向けて誘導され、該上部始動入賞口４６ｂに入賞可能となる。また、下段誘導路５９に導入されたパチンコ球Ｂは、始動入賞装置４６の下部始動入賞口４６ｃに向けて誘導される。なお、前記羽根部材４９,４９が閉鎖状態であれば、下部始動入賞口４６ｃにはパチンコ球Ｂが入賞不能な状態であるので、下段誘導路５９で誘導されたパチンコ球Ｂは遊技領域３７を最下端まで流下して前記アウト口６６から盤裏側に排出される。なお、前記上下の誘導路５８,５９には、複数の落下口５８ａ,５９ａが形成されているから、該誘導路５８,５９で誘導される全てのパチンコ球Ｂが上下の始動入賞口４６ｂ,４６ｃまで誘導されるものではなく、一部のパチンコ球Ｂは誘導途中で落下口５８ａ,５９ａから路外に落下する。但し、上段誘導路５８の落下口５８ａから落下したパチンコ球Ｂは、下段誘導路５９で始動入賞装置４６の下部始動入賞口４６ｃに向けて誘導される可能性はある。
【００６９】
前記下段誘導路５９の落下口５９ａから落下したパチンコ球Ｂは、遊技釘５７によって不規則に方向を変えつつ流下し、前記複数の普通入賞口６０ａ,６０ｂに入賞可能となる。また、普通入賞口６０ａ,６０ｂに入賞しなかったパチンコ球Ｂは、前記アウト口６６から盤裏側に排出される。
【００７０】
前記左側の遊技領域３７を流下するパチンコ球Ｂが前記球通過ゲート２１を通過すると、前記普通図柄入球検出手段の球検出に基づいて前記普通図柄表示装置による抽選が行なわれる。そして、抽選の結果、当りとなった場合は、前記始動入賞装置４６の羽根部材４９,４９が開放されて、下部始動入賞口４６ｃへの入賞確率が高まる。始動入賞装置４６の上部または下部の始動入賞口４６ｂ,４６ｃにパチンコ球Ｂが入賞すると、前記主制御装置３２の制御信号に基づいて、前記図柄表示装置１３の図柄が変動開始され、所要の図柄組合わせゲームが展開される。そして、前記図柄表示装置１３で展開される図柄変動ゲームの結果、図柄表示装置１３に所定の図柄組合わせで図柄が停止表示されたときに、前記特別入賞装置４７の開閉扉５２が閉状態から開状態に作動することで特別入賞口４７ｂを開放して所謂大当りが発生し、多数の賞球の獲得が可能となる。
【００７１】
(磁気センサに関する作用について)
前述したように、前記図柄表示装置１３による図柄変動ゲームを開始させる契機となる始動入賞装置４６の始動入賞口４６ｂ,４６ｃは、不正行為を意図している不正遊技者が磁石を用いた不正行為で狙われ易い部位である。この不正行為としては、前記ガラス板１４ａに近づけた磁石でパチンコ球Ｂを吸着して、上部始動入賞口４６ｂや開放状態となった下部始動入賞口４６ｃに直にパチンコ球Ｂを入賞させる行為や、前記上下の誘導路５８,５９の落下口５８ａ,５９ａの下側に磁石でパチンコ球Ｂを集めてわざと詰まらせる行為が挙げられる。
【００７２】
この場合に、前記板部材３８の裏側における前記始動入賞装置４６を挟む両側に、図７に示す如く、前記磁気センサ９６,９６が配設され、しかも各磁気センサ９６,９６は、磁気検出可能範囲が、始動入賞装置４６の上下の始動入賞口４６ｂ,４６ｃおよび対応する側の上下の誘導路５８,５９の落下口５８ａ,５９ａに及ぶ位置に臨むように配置されている。従って、上下の始動入賞口４６ｂ,４６ｃの前側に臨むガラス板１４ａおよび上下の落下口５８ａ,５９ａの下側に臨むガラス板１４ａに磁石が近づけられたときには、該磁石の磁力を磁気センサ９６,９６で検出して不正行為が行なわれていることを発見することができる。そして、磁気センサ９６,９６が磁気を検出した場合は、前記統括制御装置７９の制御下に異常報知が行なわれ、不正行為を防ぐことができる。
【００７３】
ここで、前記始動入賞口４６ｂ,４６ｃに直にパチンコ球Ｂを入賞させる不正行為や、前記誘導路５８,５９の落下口５８ａ,５９ａをパチンコ球Ｂで塞ぐ不正行為がなされた場合は、始動入賞口４６ｂ,４６ｃへの入賞確率が異常に上昇するため、遊技店では不正行為を容易に知ることができる。このため、不正遊技者は、磁石を用いて前記普通入賞口６０ａ,６０ｂに直にパチンコ球Ｂを入賞させることで、賞球を不正に稼ぐ行為を行なう場合がある。しかるに、前記磁気センサ９６,９６の磁気検出可能範囲は、普通入賞口６０ａ,６０ｂにも及ぶように設定されているから、該普通入賞口６０ａ,６０ｂに直にパチンコ球Ｂを不正入賞させるためにガラス板１４ａに近づけた磁石の磁気も、該磁気センサ９６,９６で検出することができる。すなわち、実施例の磁気センサ９６,９６では、始動入賞装置４６へのパチンコ球Ｂの誘導確率を不正に上げるための行為および普通入賞口６０ａ,６０ｂへ直にパチンコ球Ｂを不正入賞させる行為の何れをも検出することができる。また、実施例の磁気センサ９６,９６の磁気検出可能範囲は、特別入賞装置４７の特別入賞口４７ｂにも及ぶように設定されているから、「大当り」の発生時において特別入賞口４７ｂが開放された際に、パチンコ球Ｂを磁石を用いて不正入賞させる行為も検出することができる。
【００７４】
前記各磁気センサ９６は、前述したようにリード片１００の延在方向が前記板部材３８の裏面と平行で、かつリード片１００の延在方向が左右方向に沿う姿勢で配置されるから、１つの磁気センサ９６により磁気を検出し得る範囲は広く、複数の磁気センサを用いることなく始動入賞装置４６の始動入賞口４６ｂ,４６ｃおよび誘導路５８,５９の落下口５８ａ,５９ａに及ぶ広範囲での磁石による不正行為を検出することが可能となり、コストを低廉に抑えることができる。また、図１４または図１５に示す如く、前記板部材３８の裏面に対向して磁気センサ９６を裏ユニット３９に配設することで、磁気センサ９６と板部材３８の前面との離間距離は短かくなるから、検出感度の低い磁気センサ９６を使用することが可能となり、コストを低減することができる。しかも、磁気センサ９６のセンサ設置部９３,９４を裏ユニット３９に設け、かつ磁気センサ９６の姿勢を長手方向(リード片１００の延在方向)が左右方向に沿うようにしているから、遊技盤３６の後方に磁気センサ９６が突出することはなく、磁気センサ９６が他の部材の取付けの障害となることはない。
【００７５】
前記センサ設置部９３,９４に対して磁気センサ９６は、リード片１００の延在方向に離間する２つのセンサ位置決め部９５,９５で位置決めされると共に、リード片１００の延在方向に沿う支持片９８で裏面が支持され、かつ裏ユニット３９に配設される可動演出装置４２,４３のケース体７２と球通路８０,８１の壁部８６により上下方向から挟持されるので、当該磁気センサ９６は適正な姿勢に保持される。すなわち、センサ設置部９３,９４に取付けられた磁気センサ９６は、板部材３８の裏面に対して上下、左右および前後方向が適正な位置に保持され、該磁気センサ９６の全長に亘って均一な精度で不正行為を検出することができる。また、磁気センサ９６を支持するケース体７２や壁部８６は、他の機能を有する部材であるから、磁気センサ９６を支持するための専用の部材を裏ユニット３９に成形する場合に比べて該裏ユニット３９の構成を簡略化することができ、金型費等の製造コストを低く抑えることができる。
【００７６】
前記磁気センサ９６は、センサケース９７に収容された状態でセンサ設置部９３,９４に配設されるから、該磁気センサ９６を確実に保護することができる。また、センサケース９７に収容した磁気センサ９６を保持するフック１０４,１０４は、磁気センサ９６の裏面に係合するよう構成してあるから、磁気センサ９６の前面と板部材３８の裏面との離間距離がフック１０４,１０４により大きくなることはなく(図１４,図１５参照)、磁気センサ９６を保護しつつ検出感度の低下を抑えることができる。更に、センサ設置部９３,９４に配設したセンサケース９７の前面は、裏ユニット３９を板部材３８の裏面に取付けた際に該板部材３８の裏面に当接するよう設定してあるので、磁気センサ９６を保護しつつ板部材３８にできる限り近接させることができ、磁気センサ９６の検出感度の低下を最小限に抑え得る。
【００７７】
前記センサ設置部９３,９４に対し、磁気センサ９６は、図１２,図１３または図１６に示す如く、該磁気センサ９６に配線１０１が接続する長手方向の端部(配線１０１を接続するためのソケットの接続口が向く側)を裏ユニット３９の収容部６８側に臨ませた姿勢で配設される。また、該配線１０１を裏ユニット３９の裏側に引き出すための配線通孔１０９が、収容部６８に収容される始動入賞装置４６の装置本体５０と球通路８０,８１の壁部８６との間に臨む該収容部６８の後壁６８ａに形成したから、磁気センサ９６と裏ユニット３９の裏側に配設された第２中継基板１１４とを接続する配線１０１の長さを短かくすることができ、配線処理が容易となる。しかも、収容部６８に収容される始動入賞装置４６の装置本体５０と配線通孔１０９との間に仕切壁６８ｂを形成してあるから、裏ユニット３９を板部材３８の裏側に取付ける際に、該収容部６８に収容される装置本体５０と配線１０１とが干渉するのを仕切壁６８ｂで防止でき、取付けが容易になると共に配線１０１が磁気センサ９６から外れるのも防ぐことができる。
【００７８】
(普通入賞センサのチャタリング防止について)
前記上側の普通入賞口６０ａに入賞したパチンコ球Ｂは、前記第１傾斜通路８２を流下し、前記第１縦通路８４に通入して落下する過程で、前記第１普通入賞センサ８８の通孔８８ａを通過し、該第１普通入賞センサ８８がパチンコ球Ｂを検出する。この第１普通入賞センサ８８によるパチンコ球Ｂの検出信号に基づき、前記主制御装置３２の制御により出力された払出し制御装置２９の制御信号に基づいて、前記球払出し装置２７ａによって所定数の賞球が払い出される。そして、第１縦通路８４から落下するパチンコ球Ｂは、図１７に示す如く、前記傾斜面９１に当って前記第２傾斜通路８３に向けて案内され、該第２傾斜通路８３を流下して前記第２縦通路８５に通入し、球排出口８７から排出される。また、前記下側の普通入賞口６０ｂに入賞したパチンコ球Ｂは、第２縦通路８５に通入して落下する過程で、前記第２普通入賞センサ８９の通孔８９ａを通過し、該第２普通入賞センサ８９がパチンコ球Ｂを検出する。この場合も、前記球払出し装置２７ａによって所定数の賞球が払い出される。なお、主制御装置３２では、第１普通入賞センサ８８によるパチンコ球Ｂの検出信号に続いて第２普通入賞センサ８９によるパチンコ球Ｂの検出信号が入力された場合は、上側の普通入賞口６０ａにパチンコ球Ｂが入賞したものと判断し、第２普通入賞センサ８９によるパチンコ球Ｂの検出信号のみが入力された場合は、下側の普通入賞口６０ｂにパチンコ球Ｂが入賞したものと判断するよう構成される。
【００７９】
前記第１縦通路８４から落下するパチンコ球Ｂは、図１８に示す如く、該パチンコ球Ｂにおける落下中心線Ｃより第２傾斜通路８３と反対側の外周下側が傾斜面９１に接触するよう該傾斜面９１の位置が設定されているから、傾斜面９１に当ったパチンコ球Ｂは真上に跳ね返ることなく第２傾斜通路８３に向かうように移動方向が確実に変更される。すなわち、パチンコ球Ｂの傾斜面９１からの跳ね返りによる第１普通入賞センサ８８のチャタリング発生を防止し得る。また傾斜面９１は、第２傾斜通路８３の傾斜角度より大きい角度で傾斜しているから、該傾斜面９１に落下したパチンコ球Ｂは速やかに第２傾斜通路８３に向けて移動し、屈曲部９０にパチンコ球Ｂが滞留することはない。従って、上側の普通入賞口６０ａに短時間で複数のパチンコ球Ｂが入賞した場合であっても、第１縦通路８４から落下した先行するパチンコ球Ｂに後続のパチンコ球Ｂが当って跳ね返ることはなく、第１普通入賞センサ８８のチャタリング発生を防止し得る。
【００８０】
更に、図１８に示す如く、前記傾斜面９１に当ったパチンコ球Ｂの傾斜面９１との接点Ｐとパチンコ球Ｂの中心Ｏを通る跳出線Ｌが、前記屈曲部９０の上角部９０ａより第２傾斜通路８３側を通るように傾斜面９１の角度および位置を設定したから、該跳出線Ｌに沿う方向にパチンコ球Ｂが跳ね返ったとしても、該パチンコ球Ｂは上角部９０ａに対して中心Ｏより上側の部分が当たり、該パチンコ球Ｂが第１縦通路８４側に戻るのは確実に阻止される。従って、第１普通入賞センサ８８のチャタリング発生を確実に防止し得る。
【００８１】
ここで、前記第１縦通路８４から落下するパチンコ球Ｂを第２傾斜通路８３に速やかに移動させるには、該第２傾斜通路８３自体の水平面に対して第１縦通路８４側から第２縦通路８５側へ下方傾斜する角度を大きくして第１縦通路８４に接続することでも対応可能である。しかるに、位置が決まっている第２縦通路８５に接続する第２傾斜通路８３の傾斜角度を大きくするためには、上下方向に大きな領域が必要となるが、普通入賞口６０ａ,６０ｂに入賞したパチンコ球Ｂを機外に排出するための球通路８０,８１が形成される裏ユニット３９の下部側において、該球通路８０,８１を形成し得る領域の上下寸法は小さく、パチンコ球Ｂの確実かつ速やかな移動を達成するのに必要な傾斜角度で第２傾斜通路８３を形成することは困難である。これに対し、実施例では、第１縦通路８４と第２傾斜通路８３とが接続される屈曲部９０に、第１縦通路８４から落下するパチンコ球Ｂを確実かつ速やかに第２傾斜通路８３に向けて移動させる傾斜面９１を形成することで、第２傾斜通路８３の傾斜角度を小さくすることができ、上下寸法が制限されている裏ユニット３９の下部側において複数の普通入賞口６０ａ,６０ｂを集合するために屈曲する複数の通路を収めることができる。しかも、第１縦通路８４から落下するパチンコ球Ｂを傾斜面９１によって第２傾斜通路８３に速やかに移動させ得るから、第２傾斜通路８３の傾斜角度を小さくしてもパチンコ球Ｂのスムーズな流下を確保し得る。
【００８２】
前記左右の発光装置７４,７６を発光することで、遊技者が注目する前記普通入賞口６０ａ,６０ｂの下側に設けられている発光用装飾部品６３,６５を発光装飾することができ、遊技の興趣を高めることができる。そして、普通入賞口６０ａ,６０ｂの下側を発光装飾する発光装置７４,７６を裏ユニット３９に配設した構成において、該発光装置７４,７６と干渉しないように前記球通路８０,８１を複雑な形状で形成する場合においても、前記第１縦通路８４と第２傾斜通路８３とが接続される屈曲部９０に、第１縦通路８４から落下するパチンコ球Ｂを確実かつ速やかに第２傾斜通路８３に向けて移動させる傾斜面９１を形成することで、前記第１普通入賞センサ８８のチャタリング発生を抑制し得る。
【００８３】
(別実施例)
図２２および図２３は、第１縦通路８４と第２傾斜通路８３とがなす屈曲部９０の下隅部に形成される案内部の別実施例を示すものであって、実施例と異なる部分についてのみ説明し、同一部分には同じ符号を付すものとする。
【００８４】
図２２に示す第１の別実施例に係る案内部としての傾斜面１１６は、その傾斜下端が、前記第１縦通路８４に配設される第１普通入賞センサ８８の配設領域(図の一点線)より第２傾斜通路８３側へ延出するように形成される。また、該傾斜面１１６の延出端部と第１縦通路８４の下端との離間距離(傾斜面１１６と第１縦通路８４の下端とにより画成される第２傾斜通路８３の球入口の上下寸法)は、パチンコ球Ｂの直径より大きく設定されている。なお、第１の別実施例の傾斜面１１６においても、第１縦通路８４から落下するパチンコ球Ｂの中心Ｏを通る落下中心線Ｃより第２傾斜通路８３と反対側の外周下側に接触する位置に該傾斜面１１６が設けてある。
【００８５】
第１の別実施例に係る傾斜面１１６によれば、前述した実施例の作用効果の他に、該傾斜面１１６は、第１縦通路８４における第１普通入賞センサ８８の配設領域を越えて第２傾斜通路８３側へ延出しているから、該傾斜面１１６に接触したパチンコ球Ｂを第１普通入賞センサ８８の配設領域外の位置まで確実に誘導して第２傾斜通路８３に流入させ得る。また、傾斜面１１６の延出端部と第１縦通路８４の下端との離間距離をパチンコ球Ｂの直径より大きく設定してあるから、該傾斜面１１６で誘導されるパチンコ球Ｂを第２傾斜通路８３へ円滑に流入させ得る。
【００８６】
図２３に示す第２の別実施例では、案内部として突部１１７が設けられる。この突部１１７は、第２傾斜通路８３に向けて突出する端部が直角に形成されたものであって、該突出端部１１７ａは、第１縦通路８４から落下するパチンコ球Ｂの中心Ｏを通る落下中心線Ｃより第２傾斜通路８３と反対側の外周下側に接触する位置に設けられる。すなわち、第１縦通路８４から落下するパチンコ球Ｂが突部１１７の突出端部１１７ａに接触した際、該パチンコ球Ｂが上方に向けて跳ね返ることは殆どなく、第２傾斜通路８３に向けて確実に移動方向が変更され、第１普通入賞センサ８８のチャタリング発生を防止し得る。また、突部１１７の形成は容易であるから、簡単な構成でチャタリング発生を防止することができる。なお、突部１１７の突出端部は直角に限らず、弧状に形成されていてもよい。
【００８７】
(変更例)
本願は前述した実施例の構成に限定されるものではなく、その他の構成を適宜に採用することができる。
(1) 遊技盤を構成する板部材は、木製に限らず、アクリルやポリカーボネート等の光透過性の合成樹脂材からなる透明板であってもよい。そして、板部材を透明板で構成した場合は、貫通口を設けることなく該透明板自体を透かして図柄表示装置の表示部を前側から視認可能とし得る。
(2) 実施例では、普通入賞口に入賞したパチンコ球を第１傾斜通路を介して第１縦通路に通入するよう構成したが、始動入賞口に入賞したパチンコ球が第１縦通路に直接通入する構成であってもよい。
(3) 実施例では、遊技領域に形成される誘導路の下側に２つの普通入賞口を設けたが、該普通入賞口は１つ、あるいは３つ以上であってもよい。
(4) 実施例では、普通入賞口の下側を発光演出する左右の発光装置の形状を異なる場合で説明したが、左右の発光装置を、何れも左発光装置または右発光装置と同一(左右対称)とする構成を採用し得る。
(5) 実施例では、始動入賞装置の始動入賞口を上下２段で形成したが、上または下の何れか１つであってもよく、その場合は誘導路も対応する位置に１つ形成されていればよい。
(6) 実施例では、磁気センサを、リード片の延在方向が左右方向に沿う姿勢(横向き姿勢)で配設したが、磁気検出可能範囲が始動入賞装置の始動入賞口および誘導路の落下口に及ぶものであれば、リード片の延在方向が上下方向に沿う姿勢(縦向き姿勢)で配設する構成を採用することができる。そして、磁気センサを縦向き姿勢で配設した場合は、上下方向のより広い範囲での不正行為を検出することが可能となる。
(7) 実施例では、磁気センサをリード片の延在方向と交差する方向から挟持する支持部として、裏ユニットに配設した可動演出装置のケース体と球通路の壁部とを用いる場合で説明したが、センサ設置部に磁気センサ自体または該磁気センサを収容したセンサケースを挟持する専用の支持部を設ける構成を採用し得る。
(8) 実施例では、磁気センサをセンサケースに収容した状態で裏ユニットのセンサ設置部に取付ける場合で説明したが、磁気センサに、センサ設置部に取付けるためのフランジ部や通孔等を設けて直に取付けるよう構成してもよい。この場合に、磁気センサは裏ユニットおよび板部材で覆われるから、センサケースを用いなくても該磁気センサの保護が図られる。また、磁気センサをセンサ設置部に取付けた際に、該磁気センサの前面が板部材の裏面に当接する位置に臨むように、センサ位置決め部が設けられていればよい。
(9) 遊技機としては、パチンコ機に限られるものではなく、アレンジボール機やパチンコ球を用いたスロットマシン等、その他各種の遊技機であってもよい。
【符号の説明】
【００８８】
３６  遊技盤
３７  遊技領域
３８  板部材
３９  裏ユニット
６０ａ  上側の普通入賞口(普通入賞口)
６０ｂ  下側の普通入賞口(普通入賞口)
６３  発光用装飾部品
６４  発光用装飾部品
７４  左発光装置(発光装置)
７６  右発光装置(発光装置)
８０  左球通路(球通路)
８１  右球通路(球通路)
８２  第１傾斜通路(上傾斜通路)
８３  第２傾斜通路(傾斜通路)
８４  第１縦通路(縦通路)
８５  第２縦通路(下縦通路)
８８  第１普通入賞センサ(球検出手段)
９０  屈曲部
９０ａ  上角部
９１  傾斜面(案内部)
１１６  傾斜面(案内部)
１１７  突部(案内部)
Ｂ  パチンコ球(遊技球)
Ｃ  パチンコ球の落下中心線
Ｌ  跳出線
Ｏ  パチンコ球の中心
Ｐ  傾斜面とパチンコ球との接点
【図１】
2010252927.tif 000003
【図２】
2010252927.tif 000004
【図３】
2010252927.tif 000005
【図４】
2010252927.tif 000006
【図５】
2010252927.tif 000007
【図６】
2010252927.tif 000008
【図７】
2010252927.tif 000009
【図８】
2010252927.tif 000010
【図９】
2010252927.tif 000011
【図１０】
2010252927.tif 000012
【図１１】
2010252927.tif 000013
【図１２】
2010252927.tif 000014
【図１３】
2010252927.tif 000015
【図１４】
2010252927.tif 000016
【図１５】
2010252927.tif 000017
【図１６】
2010252927.tif 000018
【図１７】
2010252927.tif 000019
【図１８】
2010252927.tif 000020
【図１９】
2010252927.tif 000021
【図２０】
2010252927.tif 000022
【図２１】
2010252927.tif 000023
【図２２】
2010252927.tif 000024
【図２３】
2010252927.tif 000025